(57)【要約】      （修正有）【課題】太陽モジュール、インバータおよびフレームを、共通のラック構造に一体化する光起電力（ＰＶ）システムを提供する。【解決手段】一体型太陽モジュール電力調節システムは、１つまたは複数の太陽モジュール支持フレーム１０、１２を含む。各個のフレームは、それらと一体化した複数のプラグアンドプレイ電気コネクタ１４、１６を含む。マイクロインバータまたはマイクロインバータコネクタ１８もまた、各個のフレームと一体化される。各個のフレームは、各太陽電気モジュールを受容するように、かつ、複数の一体化したプラグアンドプレイ電気コネクタ１４、１６を介して一緒に接続される、複数の太陽モジュール支持フレーム１０、１２を介して一緒に接続される、複数の太陽電気モジュールおよび対応するマイクロインバータを通して電力を搬送するように構成される。【選択図】図１
2013042130.tif 000002
【特許請求の範囲】
【請求項１】
第１の太陽モジュール支持フレーム（１０）であって、それと一体化した、マイクロインバータコネクタ（１８）と複数のプラグアンドプレイ電気コネクタ（１４）、（１６）の両方を備える第１の太陽モジュール支持フレーム（１０）を備え、前記第１の太陽モジュール支持フレーム（１０）が、太陽電気モジュール（３１）とマイクロインバータ（３６）の両方を受容するように、かつ、電力を前記プラグアンドプレイコネクタ（１４）、（１６）に搬送するように構成される装置。
【請求項２】
前記第１の太陽モジュール支持フレーム（１０）が、第１のレール区間（２６）および第２のレール区間（２８）をさらに備え、前記電気コネクタ（１４）、（１６）が、前記第１のレール区間（２６）に一体化される、請求項１記載の装置。
【請求項３】
前記第１の太陽モジュール支持フレーム（１０）が、前記第２のレール区間（２８）に一体化される、複数のプラグアンドプレイ配管コネクタ（２２）、（２４）をさらに備える、請求項２記載の装置。
【請求項４】
前記第１の太陽モジュール支持フレーム（１０）が、前記モジュール支持フレーム（１０）により支持され、前記熱冷却ブレース（３０）と接触する太陽電気モジュールから熱を伝達するように構成される熱冷却ブレース（３０）をさらに備える、請求項１記載の装置。
【請求項５】
前記第１の太陽モジュール支持フレーム（１０）が、それと一体化した電力配線（２０）を、対応するマイクロインバータ（３６）を前記第１の太陽モジュール支持フレームの電気コネクタ（１４）、（１６）と結合するためにさらに備える、請求項１記載の装置。
【請求項６】
前記第１の太陽モジュール支持フレーム（１０）が、それと一体化した複数のプラグアンドプレイ配管コネクタ（２２）、（２４）をさらに備える、請求項１記載の装置。
【請求項７】
対応する複数のプラグアンドプレイコネクタ（１４）、（１６）、（２２）、（２４）を介して、前記第１のモジュール支持フレーム（１０）と直列型で、または並列に接続される、少なくとも１つの追加的な太陽モジュール支持フレーム（１２）をさらに備える、請求項１記載の装置。
【請求項８】
太陽モジュールラック（２１）と、
前記太陽モジュールラック（２１）に搭載される複数の太陽モジュール支持フレーム（１０）、（１２）とを備え、各個の太陽モジュール支持フレーム（１０）、（１２）が、それと一体化した、マイクロインバータコネクタ（１８）と複数のプラグアンドプレイ電気コネクタ（１４）、（１６）の両方を備え、前記複数の太陽モジュール支持フレーム（１０）、（１２）が、対応する複数のプラグアンドプレイ電気コネクタ（１４）、（１６）を介して一緒に接続されて、前記複数の太陽モジュール支持フレーム（１０）、（１２）に搭載される、複数の太陽電気モジュール（３１）および対応するマイクロインバータ（３６）を通して電力を搬送する装置。
【請求項９】
少なくとも１つの太陽モジュール支持フレーム（１０）、（１２）が、それらと一体化した複数のプラグアンドプレイ配管コネクタ（２２）、（２４）をさらに備える、請求項８記載の装置。
【請求項１０】
少なくとも１つの太陽モジュール支持フレーム（１０）が、前記モジュール支持フレーム（１０）により支持され、前記熱冷却ブレース（３０）と接触する太陽電気モジュール（３１）から熱を伝達するように構成される熱冷却ブレース（３０）をさらに備える、請求項８記載の装置。
【発明の詳細な説明】
【技術分野】
【０００１】
本開示の主題は、一般には光起電力（ＰＶ）システムに関し、より詳細には、太陽モジュール、インバータおよびフレームを、共通のラック構造に一体化するシステムおよび方法に関する。
【背景技術】
【０００２】
米国では、ほとんどすべての電気システムが、雷、ラインサージ、または高圧線との非意図的接触の影響を緩和するために接地される。大多数のＰＶシステムは、金属フレームおよび金属搭載ラックを有するモジュールを含み、それらのモジュールは、それらが落雷を受けやすい露出した場所、例えば屋上にあるか、または、強風などの場合にＰＶアレイと接触するようになり得る高圧送電線の近くに位置する。
【０００３】
典型的なＰＶアレイでのモジュールは、陽極酸化されることが多いアルミニウムフレームを有する。草案の２０１０−ＮＥＣと同じ要件を有し、ＰＶシステムの設置を規定する２００８米国電気規程（Ｎａｔｉｏｎａｌ  Ｅｌｅｃｔｒｉｃａｌ  Ｃｏｄｅ）（ＮＥＣ）では、露出した金属表面が接地されることを求めている。具体的には、６００ボルト（Ｖ）もの高さの電圧を生成可能な一続きの直流モジュールに関して満たさなければならない、特別な直流配線および接地の要件が存在する。ＰＶ積層体の絶縁材料での不具合により、フレームが、最高６００Ｖの直流が通電される場合がある。
【０００４】
ＰＶシステムの設置者は、ＮＥＣおよびアメリカ保険業者試験所（Ｕｎｄｅｒｗｒｉｔｅｒｓ  Ｌａｂｏｒａｔｏｒｉｅｓ）（ＵＬ）規格１７０３にしたがって、各個のモジュールフレームを接地することが求められる。このモジュール間の接地は、重い（例えば少なくとも＃１０番の）銅線、およびフレームに食い込むことが可能な１０−３２ねじを使用して満たさなければならない。追加的な保証が、陽極酸化された表面を有するフレームに対しても求められる。そのような場合では、ワッシャ／コネクタが、金属フレームに食い込み、最良の電気接点をもたらすように使用される。これらの工程は、設置のために追加的な構成要素を必要とし、搭載するブラケットおよび接地するワイヤを設置するのにかなりのレベルの労力を必要とする。
【０００５】
接地連続性もまた、ＮＥＣにしたがって対処しなければならない。最も古いＮＥＣの要件では、最初に接地接続を行い、最後に接地接続を切ることを必要とする。すべての設置が、この実施方法にしたがうとは限らない。ＮＥＣはさらに、回路の導体は、定位置での堅固な接地なしに決して接続されるべきでないことを指示する。漏電遮断（ＧＦＩ）は、この状況では電撃を防止することはできない。
【０００６】
現在、マイクロインバータを利用する市販のシステムは、依然として一般に設備の接地を必要とし、これは、金属製フレームおよび金属搭載システムを有するすべてのモジュールが、低抵抗値の経路を介して共通のアース接地に接続されなければならないことを意味する。そのようなモジュール間の接地接続は、金属製スプライス、耳金、貫通ワッシャ、およびワイヤの使用を必要とする工程を使用して行われる。これらの方法のすべては、接地接続が、設置のときに行われることを必要とし、通常は経験豊富な電気技師の存在を必要とする。ＰＶモジュール設置に関する電気部品が、今では単一のコストで最大となっている。ＰＶモジュールの設置に関連するコストの大部分は、現場の電気技師の経費である。
【０００７】
ＡＣモジュールは、太陽発電産業において重要性がますます高まっている。各個の太陽電気モジュールに特有のＤＣ−ＡＣ変換には、住宅用の太陽発電システムに対してある利点がある。これらの利点には、限定されるものではないが、可用性、高いエネルギー収率、単純な相互接続等がある。太陽ＡＣモジュールの大部分の実装形態には、マイクロインバータの太陽電気モジュールとの相互接続が含まれる。一部の設置では、マイクロインバータはレール上に搭載され、ＤＣ−ＤＣケーブル布線が、接続を実現するために使用される。ＡＣ接続は、マイクロインバータ上の出力ケーブルによって並列に行われる。マイクロインバータは、他の設置では、マイクロインバータを太陽電気モジュールのフレームにボルトで留めることにより、太陽電気モジュールに直接装着され、電気的な相互接続が、同様に行われる。前述の設置技法では、一般にはＤＣ配線を収納するための接続箱を必要とする太陽電気モジュールシステムに対して、結果として物理的な変更をもたらさず、バイパスダイオードは定位置のままである。マイクロインバータのコストの最大１／３が、金属ケース／ヒートシンク、配線およびコネクタを含む。
【先行技術文献】
【特許文献】
【０００８】
【特許文献１】米国特許出願公開第２００９／００７８２９９号明細書
【発明の概要】
【０００９】
前述を考慮すると、システムの個別の構成要素に標準的に関連する、ある機械的および電気的機能の一体化によって設置コストを低減する様式で、太陽モジュール、インバータおよび支持フレームを一体化するための、システムおよび方法を提供することが有利であろう。このシステムおよび方法は、機械的な設置に責任を負う屋根ふき工事の施工業者が、電気技師の存在を必要とすることなく、モジュール間の電気的接続をやり遂げる単純な手段を提供するはずである。
【００１０】
手短に言えば、一実施形態によれば、装置は、第１の太陽モジュール支持フレームであって、それと一体化した、マイクロインバータコネクタと複数のプラグアンドプレイ電気コネクタの両方を備える第１の太陽モジュール支持フレームを備え、第１の太陽モジュール支持フレームが、太陽電気モジュールとマイクロインバータの両方を受容するように、かつ、電力をプラグアンドプレイコネクタに搬送するように構成される。
【００１１】
別の実施形態によれば、装置は、
複数の太陽モジュール支持フレームと、
各個の太陽モジュール支持フレームと一体化したマイクロインバータと、
各個の太陽モジュール支持フレームと一体化した複数のプラグアンドプレイ電気コネクタとを備え、複数の太陽モジュール支持フレームが、プラグアンドプレイ電気コネクタを介して直列型で（ｉｎ  ｔａｎｄｅｍ）一緒に接続されて、複数の太陽モジュール支持フレームのプラグアンドプレイ電気コネクタを介して一緒に接続される、複数の太陽電気モジュールおよび対応するマイクロインバータを通して電力を搬送する。
【００１２】
さらに別の実施形態によれば、装置は、
太陽モジュールラックと、
太陽モジュールラックに搭載される複数の太陽モジュール支持フレームとを備え、各個の太陽モジュール支持フレームが、それと一体化した、マイクロインバータコネクタと複数のプラグアンドプレイ電気コネクタの両方を備え、複数の太陽モジュール支持フレームが、対応する複数のプラグアンドプレイ電気コネクタを介して直列型で一緒に接続されて、複数の太陽モジュール支持フレームに搭載される、複数の太陽電気モジュールおよび対応するマイクロインバータを通して電力を搬送する。
【００１３】
本発明のこれらおよび他の、特徴、態様、および利点は、同じ符号が図面全体を通して同じ部分を表す添付の図面を参照して、以下の詳細な説明を読むことにより、より良く理解されよう。
【図面の簡単な説明】
【００１４】
【図１】一実施形態による、プラグアンドプレイ電気コネクタが一体成型された１対の太陽モジュール支持フレームを示す図である。
【図２】図１に示すプラグアンドプレイ電気コネクタをより詳細に示す図である。
【図３】一実施形態による、対応する蛇行熱コイル集成体および対応する一体成型配管コネクタを有する、図１に示す太陽モジュール支持フレームを示す図である。
【図４】図３に示す一体成型配管コネクタをより詳細に示す図である。
【図５】本発明の一実施形態による、マイクロインバータコネクタが一体成型される１対の太陽モジュール支持フレームを示す図である。
【図６】一実施形態による、複数の太陽モジュール間の電力および熱を伝達する対応するプラグアンドプレイ電気コネクタおよび対応する一体成型配管コネクタを介して相互接続される、一続きの太陽モジュール支持フレームに設置される複数の太陽モジュールを示す図である。
【図７】図６に示すプラグアンドプレイ電気コネクタをより詳細に示す図である。
【図８】図６に示す一体成型配管コネクタをより詳細に示す図である。
【発明を実施するための形態】
【００１５】
上記で明確にされた各図面は、代替の実施形態を示しているが、考察で指摘するように、本発明の他の実施形態もまた意図されている。すべての場合において、本開示は、本発明の例示の実施形態を、代表として限定することなく提示する。本発明の原理の範囲および趣旨に含まれる、数多くの他の修正形態および実施形態が、当業者により考案され得る。
【００１６】
図１は、一実施形態による、プラグアンドプレイ電気コネクタ１４、１６が一体成型される１対の太陽モジュール支持フレーム１０、１２を示す。図２は、電気コネクタ１４、１６をより詳細に示す。電気コネクタ１４は、雌型電気コネクタであることがわかり、電気コネクタ１６は、雄型電気コネクタであることがわかる。一態様によれば、プラグアンドプレイ電気コネクタ１４、１６は、それらの各太陽モジュール支持フレーム１０、１２と一体成型される迅速接続タイプの電気ジャックを備える。各個の太陽モジュール支持フレーム１０、１２は、本明細書でより詳細に説明する、太陽電気モジュールまたは太陽熱モジュールを収容することができる。
【００１７】
本明細書で使用されるように、プラグアンドプレイは、接続されるとすぐにシステムと連動するデバイスを説明するために使用される。ユーザは、デバイス用のドライバを手動でインストールする必要がなく、または、新しいデバイスが付加されたことをシステムに告知する必要さえもない。その代わりに、システムは、デバイスを自動的に認識し、新しく接続されたデバイスとの連動を開始する。
【００１８】
各個の太陽モジュール支持フレーム１０、１２は、それらと一体成型され、支持フレームに挿入される太陽モジュールと各マイクロインバータとの間の電気的接続を可能にするマイクロインバータコネクタ１８を、さらに備える。マイクロインバータコネクタ１８は、本明細書でさらに詳細に説明する。各個の太陽モジュール支持フレーム１０、１２は、それらと一体成型され、対応するマイクロインバータと各支持フレームの電気コネクタ１４、１６との間の電気経路を提供する電気配線２０を、さらに備える。一態様によれば、非電化ラック２１は、複数の太陽モジュール支持フレーム１０、１２を集成かつ相互接続するための主構造を提供する。２つの太陽モジュール支持フレームのみを本実施形態では図示するが、ラック２１の物理的サイズによってのみ限定される、任意の数の太陽モジュール支持フレーム／太陽モジュールが、非電化ラック２１内に集成され得る。太陽モジュール支持フレームおよび対応する太陽モジュールは、一次元アレイの太陽モジュールを形成するように、直列型で接続することができ、または、太陽モジュール支持フレームは、二次元アレイの太陽モジュールを形成するように、対応する太陽モジュールと一緒に接続することができる。
【００１９】
図３は、一実施形態による、一体成型された押しはめタイプの迅速接続プラグアンドプレイ機械的配管コネクタ２２、２４を有する１対の太陽モジュール支持フレーム１０、１２を、示す。図４は、図３に示す押しはめタイプのプラグアンドプレイ機械的配管コネクタ２２、２４をより詳細に示す。各個の太陽モジュール支持フレーム１０、１２は、本明細書で述べたように、電気太陽モジュールまたは熱太陽モジュールを収容することができる。
【００２０】
一実施形態によれば、太陽熱モジュールおよび太陽電気モジュールは、複数の太陽モジュールフレーム１０、１２によって、共通の非電化ラック２１上に搭載され得る。一実施形態によれば、図１に示す一体成型された配線２０および電気コネクタ１４、１６は、各太陽電気モジュールに対する電気的接続を支援するために、上部フレームレール区間２６内にある場合があり、一体成型配管コネクタ２２、２４は、各太陽熱モジュールに対する熱流体接続を支援するために、下部フレームレール区間２８内にある場合がある。
【００２１】
一態様によれば、熱流体を含む１組の蛇行冷却パイプ３０、３２は、各太陽電気モジュール３１の裏側と接触する冷却ブレース（ｃｏｏｌｉｎｇ  ｂｒａｃｅ）として利用され、その動作温度を低下させることができる。太陽電気モジュール３１によって熱流体に伝達される熱は、太陽電気モジュール３１の下流の太陽熱モジュール３３に伝達され得るのが有利である。一実施形態によれば、温度熱伝達液体は、その液体が、太陽熱モジュール（複数可）３３に達するときにいくぶん熱い状態であるように、まず太陽電気モジュールの蛇行冷却パイプ３０を通過する。
【００２２】
図５は、本発明の一実施形態による、マイクロインバータコネクタ１８が一体成型される１対の太陽モジュール支持フレーム１０、１２を示す。この実施形態では、設置工程を単純化するために、必要なパワーエレクトロニクスサービスを、支持フレーム（複数可）１０、１２、および各パワーエレクトロニクスコネクタ（複数可）１４、１６、１８と一体化するのが有利である。一実施形態によれば、各個の支持フレーム１０、１２は、プラスチックまたは複合材料で構成される成型フレームであり、その中には、各電力マイクロインバータ３６を受容するためのポケットがさらに含まれ得る。太陽モジュール支持フレーム（複数可）１０、１２を、迅速接続電気コネクタ１４、１６、迅速接続配管コネクタ２２、２４、およびマイクロインバータコネクタ１８と一体化することにより、結果として実装するのに非常にコスト効果の高い、所望のプラグアンドプレイアーキテクチャとなる。
【００２３】
図６は、一実施形態による、複数の太陽モジュール４２間の電力および熱を伝達する迅速接続プラグアンドプレイ電気コネクタ１４、１６および対応する迅速接続プラグアンドプレイ機械的配管コネクタ２２、２４を介して相互接続される、一続きの太陽モジュール支持フレームに設置される複数の太陽モジュール４２を備える一体型モジュール電力調節システム４０を示す。太陽モジュール４２は、本明細書で述べたように、太陽電気モジュールのみか、太陽熱モジュールのみか、または、太陽電気モジュールと太陽熱モジュールの両方を含む場合がある。
【００２４】
図７は、図６に示す一体成型迅速接続プラグアンドプレイ電気コネクタ１４、１６をより詳細に示し、図８は、図６に示す一体成型迅速接続プラグアンドプレイ機械的配管コネクタ２２、２４をより詳細に示す。
【００２５】
一実施形態によれば、マイクロインバータは、金属で構成される１つまたは複数の太陽モジュールフレーム１０、１２と一体化される。したがって、フレームは、ヒートスプレッダ／ヒートシンクとして動作するだけでなく、ケースを形成する。一態様によれば、さらに、単一のジャンパケーブルが、マイクロインバータのＤＣ入力をモジュールのＤＣ出力と、単純な耐候性のコネクタによって相互接続するために使用され得る。一実施形態による、太陽モジュールのフレームと一体化されるプラグアンドプレイ電気コネクタは、２４０ＶのＡＣシステム用の最大４本までのワイヤ（１２０Ｖ、１２０Ｖ、Ｎ、Ｇ）を収納するＡＣコネクタを備える。太陽電気モジュールは、電気的に並列に接続され、家庭の張りめぐらされたケーブルを介して、住宅用の負荷パネルに直接配線される。
【００２６】
概要説明として、一体型太陽モジュール電力調節システムは、第１の太陽モジュール支持フレーム１０であって、それと一体化した、マイクロインバータコネクタ１８と複数のプラグアンドプレイ電気コネクタ１４、１６の両方を備える第１の太陽モジュール支持フレーム１０を備え、第１の太陽モジュール支持フレーム１０が、太陽電気モジュールを受容するように、かつ、第１の太陽モジュール支持フレーム１０、および、複数の一体化したプラグアンドプレイ電気コネクタ１４、１６を介して第１の太陽モジュール支持フレーム１０と直列型で接続される少なくとも１つの追加的な太陽モジュール支持フレーム１２を介して、一緒に接続される複数の太陽電気モジュールおよび対応するマイクロインバータを通して電力を搬送するように構成される。
【００２７】
上記の説明と矛盾しない実施形態により、太陽システムアーキテクチャであって、太陽モジュール（複数可）、太陽インバータ（複数可）および太陽モジュールのラッキングを含む、そのようなシステムの個別の構成要素に一般的に関連する、ある機械的および電気的機能の一体化によって設置コストを低減する太陽システムアーキテクチャを提供することができる。本明細書で述べたように、典型的な太陽モジュールシステムは、搭載システムに機械的に固定され、各個のモジュールと一体型であるワイヤを介した配線チェーンで電気的に別々に接続される光起電力（ＰＶ）モジュールを含む。直列および／または並列接続のＰＶモジュールのＤＣ電気チェーンは、ＤＣ−ＡＣインバータに配線され得る。本明細書で説明する実施形態では、ＡＣまたはＤＣの一体型電力バスを含み、電気的および機械的な相互接続を組み合わせることよって太陽モジュールとの一体化を支援する電化された太陽モジュールフレームを利用し、ワイヤの物理的接続に対する必要性をなくしている。個別のモジュールと一体化した電力マイクロインバータ（複数可）３６などの、ＤＣ−ＡＣまたはＤＣ−ＤＣパワーエレクトロニクスが、局所的調整および最大ピーク電力追跡（ｍａｘｉｍｕｍ  ｐｅａｋ  ｐｏｗｅｒ  ｔｒａｃｋｉｎｇ）（ＭＰＰＴ）を提供するのが有利である。特定の実施形態では、構成要素の構造の共有によって、構造要素およびインバータのヒートシンク筺体の両方として機能する太陽モジュール支持フレームを提供するのが有利である。本明細書で説明する一部の太陽モジュールフレームの実施形態は、共通のラッキングシステムに搭載される太陽熱モジュールと太陽電気モジュールの両方をさらに、支援する。
【００２８】
さらなる概要説明として、本明細書で説明する一体型モジュール電力調節システムの実施形態は、１つまたは複数の太陽モジュール支持フレーム、および、各個の太陽モジュール支持フレームと一体化した複数の迅速接続プラグアンドプレイ機械的配管コネクタを備え、各個の太陽モジュール支持フレームが、太陽モジュールを受容するように、かつ、太陽モジュールに、または太陽モジュールから熱を伝達する熱伝達流体を搬送するように構成される。一体型モジュール電力調節システムの実施形態は、一体型のＤＣ電圧調整、最大ピーク電力追跡および通信手段を備える、１つまたは複数の太陽モジュールと、一体型のＡＣまたはＤＣの電力バスを備える電化した太陽モジュールフレームと、ワイヤの物理的接続を必要としない、対応するラックシステム内に設置される電化したフレーム（複数可）に対して、太陽モジュールを電気的にインターフェースするためのアーキテクチャとを備え得る。
【００２９】
マイクロインバータの使用は、一続きのモジュール全体を通じてのモジュール性能の不整合に起因する欠陥に対処するために、モジュールレベルでの調整を提供するために利用され得ることが理解できよう。しかしながら、マイクロインバータの便益には、コストの増大が伴い、場合によっては、例えばモジュールの裏側に装着されるマイクロインバータの配置によって、インバータにとってすでに問題の多い環境（すなわち高温）での空気流が制限される。本明細書で説明した実施形態では、マイクロインバータおよびモジュールの総コストを低減するため、モジュールフレームの構造物内のマイクロインバータの機能性の全部または一部分の知的な一体化を容易にするアーキテクチャを提供し、マイクロインバータ（複数可）の発熱および動作温度を最低限に抑え、マイクロインバータ／モジュールの容易なアクセスおよび修理を可能とし、電化されたモジュールフレームとのインターフェースを単純化している。前述の利点は、太陽モジュールの基本的な積層構造を修正することなく、本明細書で説明した原理を使用して提供され得る。
【００３０】
本発明のいくつかの特徴のみを、本明細書で例示かつ説明したが、多数の修正形態および変更形態を当業者は想到するであろう。したがって、添付の特許請求の範囲は、本発明の真の趣旨の範囲に含まれるようなすべてのそうした修正形態および変更形態を包含することが意図されるということを理解されたい。
【符号の説明】
【００３１】
１０、１２  太陽モジュール支持フレーム
１４  雌型プラグアンドプレイ電気コネクタ
１６  雄型プラグアンドプレイ電気コネクタ
１８  マイクロインバータコネクタ
２０  電気配線
２１  非電化ラック
２２、２４  機械的配管コネクタ
２６  上部フレームレール区間
２８  底部フレームレール区間
３０  蛇行冷却パイプ
３１  太陽電気モジュール
３２  蛇行冷却パイプ
３３  太陽熱モジュール
３６  マイクロインバータ
４０  一体型モジュール電力調節システム
４２  太陽モジュール
【図１】
2013042130.tif 000003
【図２】
2013042130.tif 000004
【図３】
2013042130.tif 000005
【図４】
2013042130.tif 000006
【図５】
2013042130.tif 000007
【図６】
2013042130.tif 000008
【図７】
2013042130.tif 000009
【図８】
2013042130.tif 000010
【外国語明細書】
2013042130000001.pdf